(57)【要約】      （修正有）【課題】電子カードの抜き取りに便利なコネクターを提供する。【解決手段】ベース１、及びベース１にそれぞれ設置するスライド片２、カード固定スライド片３、押し動かしアセンブリ４を備える。ベース１は電子カードを前方Ｘから後方Ｙへと挿入できる収容設置空間１１を備える。スライド片２はベース１に相対し前後方向の直線運動を行い、カード固定スライド片３はベース１に相対し、前後方向に垂直な直性運動を行う。カード固定スライド片３一端には、第一、第二係合辺３１、３２を設置する。第一係合辺３１はスライド片２を、第一位置に係合して固定する。第二係合辺３２は、スライド片２を、第二位置に係合して固定する。第一位置は、第二位置に比べ、収容設置空間１１の前方に近い。押し動かしアセンブリ４とカード固定スライド片３とは連接し、カード固定スライド片３を制御し、ベース１に相対して前後方向に垂直な直線運動を行わせる。【選択図】図２
0003195147.tif 000002
【実用新案登録請求の範囲】
【請求項１】
コネクターであって、ベース、スライド片、カード固定スライド片、押し動かしアセンブリを備え、
前記ベースは、電子カードを前方から後方へと挿入できる収容設置空間を備え、
前記スライド片は、前記ベースの片側に設置され、前記ベースに相対し前後方向の直線運動を行い、
前記カード固定スライド片は、前記ベースの片側に設置され、前記ベースに相対し、前後方向に垂直な直線運動を行い、前記カード固定スライド片一端には、第一、第二係合辺を設置し、前記第一係合辺は前記スライド片を第一位置に係合して固定し、前記第二係合辺は前記スライド片を第二位置に係合して固定し、前記第一位置は前記第二位置に比べ前記収容設置空間の前方に近く、
前記押し動かしアセンブリは前記ベースの片側に設置し、前記押し動かしアセンブリと前記カード固定スライド片とは連接し、前記カード固定スライド片を制御し、前記ベースに相対して前後方向に垂直な直線運動を行わせることを特徴とするコネクター。
【請求項２】
前記ベースにはさらに、第一弾性部品を設置し、
前記第一弾性部品片側は、前記ベースに固定され、反対側は、前記スライド片に固定され、
前記ベースに相対し前後方向の直線運動を行う回復力を、前記スライド片に提供することを特徴とする請求項１に記載のコネクター。
【請求項３】
前記ベースにはさらに、第二弾性部品を設置し、
前記第二弾性部品片側は、前記ベースに固定され、反対側は、前記カード固定スライド片に固定され、
前記ベースに相対し前後方向の直線運動に垂直な回復力を、前記カード固定スライド片に提供することを特徴とする請求項１に記載のコネクター。
【請求項４】
前記押し動かしアセンブリには、押しレバー、及び前記押しレバー片側に連接する押し棒を設置し、
前記カード固定スライド片は、スライドブロックを備え、前記押し棒には、第一スライド槽を設置し、前記スライドブロックを通して設置し、
前記ベースにはさらに、第三弾性部品を設置し、
前記第三弾性部品片側は前記ベースに固定され、反対側は、前記押しレバーに固定され、
前記ベースに相対し前後方向の直線運動を行う回復力を、前記押しレバーに提供することを特徴とする請求項１〜３の任意の一項に記載のコネクター。
【請求項５】
前記ベースには、２個の側壁、及び前記２個の側壁に接続する底壁を設置し、
前記底壁は、前記収容設置空間の下方に位置し、前記押し動かしアセンブリは、前記２個の内の一方の側壁に設置し、前記２個の内の一方の側壁は、第一定位ブロックを延伸し、
前記押し棒には、第二スライド孔を設置し、前記第一定位ブロックを通して設置し、前記ベースの底壁には、少なくとも１個の第二定位ブロックを延伸し、
前記カード固定スライド片には、少なくとも１個の第三スライド孔を設置し、それぞれ前記第二定位ブロックを通して設置することを特徴とする請求項４に記載のコネクター。
【請求項６】
前記収容設置空間の上方にはさらに、スライドガイド板を設置し、
前記スライドガイド板片側と前記スライド片とは接触し、前記スライド片といっしょに、前記ベースに相対し、前後方向の直線運動を行うことを特徴とする請求項４に記載のコネクター。
【請求項７】
前記スライド片は、前記収容設置空間に向い、第一係止片を形成し、
前記スライドガイド板は、前記収容設置空間に向い、第二係止片を形成し、
前記第一係止片と前記第二係止片とは相互に接触し、しかも前記第二係止片は、前記第一係止片に比べ、前記収容設置空間の前方に近く、
前記コネクターはさらに、回路板、及び前記回路板上に位置するタッチスイッチを設置し、
前記タッチスイッチは、前記収容設置空間の後方に位置し、前記スライドガイド板には、タッチ片を設置し、前記タッチ片は、前記タッチスイッチの前方に位置し、
前記スライドガイド板が前記ベースに相対し、前後方向の直線運動を行うと、前記タッチ片は前記タッチスイッチを押し反応させることを特徴とする請求項６に記載のコネクター。
【考案の詳細な説明】
【技術分野】
【０００１】
本考案は、コネクターに関し、電子カードの抜き取りに便利なコネクターの改良に関する。
【背景技術】
【０００２】
カード本体内部にＩＣを設置し、ＩＣ情報を自由に読み取り及び書き込み可能なＩＣカードは、コネクターを使用して、情報の読み取り或いは書き込みを行う。
【０００３】
従来のコネクターにはＩＣカードをコネクターに挿入後、ＩＣカードスロットに弧状の内反り部があるため、ＩＣカードの端の一部が外部に露出していた。そのため、ＩＣカードを抜く際には、指先でＩＣカードの露出している部分をつかみ、引き抜くだけでよかった。
【０００４】
この種のコネクターの構造及び設計は簡単である。しかし、ＩＣカードをコネクターに挿入後は、常に緊密な保持力を有し、ＩＣカードが振動を受けて飛び出し、システムの不安定を招かないよう防止しなければならない。
さらに、抜く際の引抜力は最大で２.５ｋｇにも達するため、てこの原理を利用しないでカードを引き抜くなら、使用者は不快に感じざるを得ないであろう。
【０００５】
しかも、この種の強引な力に頼る方式は、頻繁に抜き取り動作を行い、また適切な力をコントロールできないことで、抜き取り方向とスロットの方向とが平行でなくなってしまう。
これは、ＩＣカード本体に損傷を与えることになりかねない。
しかも、ＩＣカードと接触する挿入接続端内の導電金属の接触性にも悪影響が及び、次に再び挿入する際に接触不良の状況が発生し得る。
【考案の概要】
【考案が解決しようとする課題】
【０００６】
しかし、上述した従来のコネクターは使用上に欠点があり、改善する必要がある。その原因は下記の通りである。
【０００７】
従来のコネクターでは、ＩＣカードを挿入した後には、常に緊密な保持力を有し、ＩＣカードが振動を受けて飛び出し、システムの不安定を招かないよう防止しなければならない。
【０００８】
さらに、従来のコネクターからＩＣカードを抜く際の引抜き力は最大で２.５ｋｇにも達するため、てこの原理を利用しないでカードを引き抜くなら、使用者は不快を感じる。
【０００９】
しかも、従来のコネクターのようにＩＣカードを抜く際に強引な力に頼る方式は、頻繁に抜き取り動作を行い、また適切な力をコントロールできないことで、抜き取り方向とスロットの方向とが平行でなくなってしまい、ＩＣカード本体に損傷を与える可能性があり、ＩＣカードと接触する挿入接続端内の導電金属の接触性にも悪影響が及び、次に再び挿入する際に接触不良の状況が発生し得る。
【００１０】
本考案は、上述の従来のコネクターの問題点に鑑みてなされたものであり、その目的とするところは、従来の電子カードの抜き取りが容易でないという問題を解決することができる電子カードの抜き取りに便利なコネクターを提供することにある。
【課題を解決するための手段】
【００１１】
本考案によるコネクターは、少なくともベース、及び該ベースにそれぞれ設置するスライド片、カード固定スライド片、押し動かしアセンブリを備える。
上記ベースは、電子カードを前方から後方へと挿入できる収容設置空間を備える。
上記スライド片は、上記ベースに対して前後方向に直線運動を行い、上記カード固定スライド片は、上記ベースに相対して前後方向に垂直な直線運動を行う。
上記カード固定スライド片の一端には、第一、第二係合辺を設置する。
上記第一係合辺は、上記スライド片を第一位置に係合して固定する。
上記第二係合辺は、上記スライド片を上記第二位置に係合して固定する。
上記第一位置は、上記第二位置に比べて上記収容設置空間の前方に近い。
上記押し動かしアセンブリと上記カード固定スライド片とは連接し、該カード固定スライド片を制御し、上記ベースに相対して、前後方向に垂直な直線運動を行わせる。
【００１２】
本考案のコネクターに電子カードを挿入すると、電子カードによりスライド片を連動し、前方から後方へと直線運動を行わせる。
これにより、スライド片は第一位置から第二位置へと移動する。
この時、カード固定スライド片の第二係合辺は、スライド片を第二位置に固定し、これにより電子カードの挿入接続動作を完成する。
電子カードを取り出す際には、押し動かしアセンブリを押すだけで、カード固定スライド片を制御して直線運動を行わせ、スライド片に対する係合を解除する。
これにより、スライド片は後方から前方へと直線運動を行い、スライド片は第二位置から第一位置へと移動し、同時に電子カードを連動して取り出し動作を完成する。
【００１３】
本考案は、電子カードの抜き取りに便利で、電子カードの抜き取りが容易でないという従来のコネクターの構造に存在する欠点を改善することができる。
【図面の簡単な説明】
【００１４】
【図１】本考案のコネクターの構造立体図である。
【図２】本考案のコネクターの構造分解図である。
【図３】本考案のスライド片が第一位置にある構造立体図である。
【図４】本考案のスライド片が第一位置にある第一模式図である。
【図５】本考案のスライド片が第二位置にある第二模式図である。
【図６】本考案のスライド片が第二位置から第一位置へと移動する様子を示す第三模式図である。
【考案を実施するための形態】
【００１５】
（一実施形態）
本考案の一実施形態によるコネクターを図面に基づいて説明する。
図１、２は、本考案のコネクターの構造立体図及び構造分解図である。
本実施形態では、コネクターは少なくとも、ベース１、及びベース１にそれぞれ設置するスライド片２、カード固定スライド片３、押し動かしアセンブリ４を備える。
【００１６】
ベース１は、電子カードを前方Ｘから後方Ｙへと挿入できる収容設置空間１１を備える。
ベース１は、絶縁材質とし、図示の実施形態では、ベース１には、２個の側壁１２、及び２個の側壁１２に接続する底壁１３と後壁１４を設置する。
底壁１３は、収容設置空間１１の下方に位置し、後壁１４は、収容設置空間１１の後方に位置する。
【００１７】
２個の内の一方の側壁１２は、第一定位ブロック１５を延伸する。
例えば、第一定位ブロック１５は、２個の内の一方の側壁１２から外へと突出して延伸し形成する。
ベース１の底壁１３には、少なくとも１個の第二定位ブロック１６を延伸する。
例えば、第二定位ブロック１６は、底壁１３から収容設置空間１１へと突出して延伸し形成される。
【００１８】
スライド片２は、ベース１の片側に設置し、ベース１に相対し前後方向の直線運動を行い、または前方Ｘ、後方Ｙに沿った直線運動を行う。
スライド片２は、収容設置空間１１に向い第一係止片２１を形成する。
図示の実施形態では、第一係止片２１は、スライド片２の上に垂直に立ち、しかも後壁１４に接近する。
【００１９】
カード固定スライド片３は、ベース１の片側に設置し、ベース１に相対し、前後方向に垂直な直線運動を行う。
カード固定スライド片３一端には、第一、第二係合辺３１、３２を設置する。
第一、第二係合辺３１、３２は、前後方向に垂直に設置し、スライド片２を係合する定位作用を提供する。
【００２０】
カード固定スライド片３は、スライドブロック３３、及び少なくとも１個の第三スライド孔３４を備える。
第三スライド孔３４には、第二固定ブロック１６を通して設置する。
第三スライド孔３４は、長方形の長孔で、前後方向に垂直に設置する。
【００２１】
押し動かしアセンブリ４は、ベース１の片側の２個の内の一方の側壁１２外に設置される。
押し動かしアセンブリ４には、押しレバー４１、及び押しレバー４１片側に連接する押し棒４２を設置する。
押し棒４２には、第一スライド孔４２１を設置し、カード固定スライド片のスライドブロック３３を通して設置し、同時に図３に示すように、カード固定スライド片３をコントロールし、ベース１に相対し、前後方向に垂直な直線運動を行わせることができる。
【００２２】
押し棒４２は、２個の内の一方の側壁１２内に向い、延伸片４２２を延伸する。
延伸片４２２は、２個の内の一方の側壁１２に予め設置する穿孔１２１を通して設置し、２個の内の一方の側壁１２内に延伸する。
これにより、第一スライド孔４２１には、カード固定スライド片のスライドブロック３３を通して設置する。
第一スライド孔４２１は好ましくは、傾斜を呈して設置される。
【００２３】
上述のコネクターは、スライド片２、カード固定スライド片３、押し動かしアセンブリ４の直線運動をスムーズにするため、第一、第二、第三弾性部品５１、５２、５３をさらに設置する。
第一、第二、第三弾性部品５１、５２、５３は、ベース１の異なる位置にそれぞれ設置する。
【００２４】
第一弾性部品５１片側は、ベース１に固定し、反対側は、スライド片２に固定する。
こうして、スライド片２に、ベース１に対する前後方向の直線運動の回復力を提供する。
第二弾性部品５２片側は、ベース１に固定し、反対側は、カード固定スライド片３に固定し、カード固定スライド片３に、ベース１に相対し前後方向の直線運動に垂直な回復力を提供する。
該第三弾性部品５３片側は、ベース１に固定し、反対側は、押しレバー４１に固定し、押しレバー４１ベース１に相対し前後方向の直線運動の回復力を提供する。
上述の第一、第二、第三弾性部品５１、５２、５３はバネ或いは弾性体で、本考案実施形態中では、バネを例とする。
【００２５】
別に、スライドガイド板６を設置し、それは収容設置空間１１の上方に相対して位置し、スライドガイド板６の両側は、スライド方式で２個の側壁１２の間に設置される。
しかも、スライドガイド板６片側とスライド片２とは接触し、同時に、スライド片２といっしょに、ベース１に相対し、前後方向の直線運動を行うことができる。
【００２６】
スライドガイド板６は、収容設置空間１１に向い、第二係止片６１を形成する。
例えば、第二係止片６１は、スライドガイド板６の下に垂直に立ち、しかも、後壁１４に接近する。
第一係止片２１と第二係止片６１とは相互に接触し、しかも第二係止片６１は、第一係止片２１に比べ、収容設置空間１１の前方Ｘに近い。
【００２７】
電子カード７を本考案のコネクターに挿入する際には、図４、５に示すように、電子カード７により第一係止片２１を押して動かし、スライド片２を連動して、前方Ｘから後方Ｙへと直線運動を行わせる。
これにより、スライド片２は、第一位置Ｐ１から第二位置Ｐ２へと移動する。
【００２８】
第一位置Ｐ１は、スライド片２の片側が、第一係合辺３１に係合固定される位置で、第二位置Ｐ２は、スライド片２の片側が、第二係合辺３２に係合固定される位置である。
第一位置Ｐ１は、第二位置Ｐ２に比べ、収容設置空間１１の前方に近い。
【００２９】
スライド片２が、前方Ｘから後方Ｙへと直線運動を行う時、カード固定スライド片３は、第二弾性部品５２の作用を受け、収容設置空間１１内へ(図４では左へ)向って移動する。
最後に、第二係合辺３２から、スライド片２を第二位置Ｐ２に固定する(図５参照)。
こうして、電子カードは挿入接続動作を完成する。
【００３０】
この時、押し動かしアセンブリ４は、カード固定スライド片３の動作を受け、前方Ｘへと移動する。
つまり、カード固定スライド片のスライドブロック３３は、第一スライド孔４２１のスライド移動時、押し動かしアセンブリ４を押して、前方Ｘへと移動させることができる。
【００３１】
電子カード７を取り出す際には、図５、６に示すように、押し動かしアセンブリの押しレバー４１を押せば、カード固定スライド片３をコントロールし直線運動を行わせ、スライド片２への係合を解除することができる。
これにより、カード固定スライド片３は、収容設置空間１１外へ(図６では右側へ)と移動し、第二弾性部品５２は伸びた状態を呈する。
こうして、スライド片２は、第一弾性部品５１の回復力を受け、後方Ｙから前方Ｘへと直線運動を行う。
これにより、スライド片２は、第二位置Ｐ２から第一位置Ｐ１へと移動し、同時に、電子カード７を連動して、取り出し動作を完成する。
【００３２】
さらに、図２に示すように、押し棒４２には、第二スライド孔４２３を設置し、これに第一定位ブロック１５を通して設置する。
第二スライド孔４２３は、長方形の長孔で、前後方向に相対して設置し、これにより押し棒４２は確実に、ベース１に相対して前後方向の直線運動を行うことができる。
【００３３】
また、コネクターにはさらに、回路板８１、及び回路板８１上に位置するタッチスイッチ８２を設置する。
図２、３に示すように、タッチスイッチ８２は、収容設置空間１１の後方の、底壁１４に近い位置に位置する。
【００３４】
スライドガイド板６には、タッチ片６２を設置し、タッチ片６２は、タッチスイッチ８２の前方に位置する。
これにより、電子カード７が第一係止片２１を押して動かし、スライド片２を連動して、前方Ｘから後方Ｙへと直線運動を行わせる時、同時に図４に示すように、スライドガイド板６を連動し、ベース１に相対して前後方向の直線運動を行わせる。
こうして、タッチ片６２は、タッチスイッチ８２を押して反応させることができる。
【００３５】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００３６】
Ｘ      前方
Ｙ      後方
Ｐ１    第一位置
Ｐ２    第二位置
１      ベース
１１    収容設置空間
１２    側壁
１２１  穿孔
１３    底壁
１４    後壁
１５    第一定位ブロック
１６    第二定位ブロック
２      スライド片
２１    第一係止片
３      カード固定スライド片
３１    第一係合辺
３２    第二係合辺
３３    スライドブロック
３４    第三スライド孔
４      押し動かしアセンブリ
４１    押しレバー
４２    押し棒
４２１  第一スライド孔
４２２  延伸片
４２３  第二スライド孔
５１    第一弾性部品
５２    第二弾性部品
５３    第三弾性部品
６      スライドガイド板
６１    第二係止片
６２    タッチ片
７      電子カード
８１    回路板
８２    タッチスイッチ
【図１】
0003195147.tif 000003
【図２】
0003195147.tif 000004
【図３】
0003195147.tif 000005
【図４】
0003195147.tif 000006
【図５】
0003195147.tif 000007
【図６】
0003195147.tif 000008